(57)【特許請求の範囲】
【請求項１】
汎用プラットホーム上に専用アプリケーションをインストールすることで、カラオケ装置のリモコン端末装置として動作する利用者の多機能携帯端末を使用し、カラオケ装置と、当該リモコン端末装置とを接続し、利用者の多機能携帯端末が利用できないときは、店舗より端末の貸し出しを行ない、定常的にサーバに対し操作ログデータを送信しているカラオケシステムにおいて、
当該専用アプリケーションは、一般の利用者が使用できる「利用者モード」と、前記店舗貸し出し用に一部機能を制限した「店舗モード」を持ち、
利用者が使用した専用アプリケーションが「利用者モード」か「店舗モード」かを識別するモード情報をカラオケ装置に伝え、上記操作ログに当該モード情報を追加する事を特徴とするネットワークカラオケシステム。
【請求項２】
前記請求項１記載のネットワークカラオケシステムにおいて、上記多機能携帯端末は選曲予約時に、上記「利用者モード」と「店舗モード」を識別するモード情報をカラオケ装置に送ることを特徴とする請求項１記載のネットワークカラオケシステム。
【請求項３】
ひとつのカラオケを共有する単数または複数の利用者による使用をセッションとして管理し、セッション内の各利用者の属性をセッションに対応付けて保持する前記請求項１記載のネットワークカラオケシステムにおいて、当属性のひとつとして上記「利用者モード」と「店舗モード」を識別するモード情報を持つことを特徴とする請求項１記載のネットワークカラオケシステム。
【発明の詳細な説明】
【技術分野】
【０００１】
本発明は、利用者の多機能携帯端末をリモコンとして使用するカラオケ装置に関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００４】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００５】
そこで、利用者の多機能携帯端末等をカラオケのリモコンとして使用することが多くなって来ている。一部のカラオケ店では上記のような理由もあり、専用リモコンを持たず、スマートホンのアプリのみでリモコン操作ができる業者もみられる。
【０００６】
一方そうは言ってもカラオケ客すべてがスマートホンを所有しているわけでもなく、持たない利用者も必ず存在する。また、私物であるスマートホンを使用したくないという利用者もあろう。
そのような利用者へはカラオケ店がタブレット端末や専用リモコン端末を貸し出す等のサービスを行っているのが現状である。
【０００７】
カラオケ店やカラオケネットワーク運営会社としては、前述のようにできるだけ利用者自身のスマートホンを使用して欲しい事情もあり、利用者のスマートホンにより予約された歌唱と貸し出し端末により予約された歌唱が混在している中で、貸し出し端末がどれだけ活用されているかを把握して今後のサービスに役立てたいという要請があった。
【先行技術文献】
【特許文献】
【０００８】
【特許文献１】特開２０１４−１３０２９９号公報
【発明の概要】
【発明が解決しようとする課題】
【０００９】
特許文献１は、本発明の発明者が先に出願したもので、カラオケのリモコンとして動作する利用者の多機能携帯端末とカラオケ装置との間のペアリングを、利用者の入室から退室までの間の利用単位（セッション単位）のみで利用できかつ個人認証を経た利用者にのみインターネットアクセス環境を提供するもので、リモコン信号受信手段で受信したセッションＩＤを含むリモコン識別情報に基づき、特定された前記多機能携帯端末と前記カラオケ装置との接続許可を確立するというものである。
【００１０】
他にも、利用者のスマートホンをカラオケのリモコン端末として利用する提案はあるが、カラオケ店が貸し出すリモコン端末の情報を収集するという出願は、本発明の発明者は知見していない。
【課題を解決するための手段】
【００１１】
上記のような貸し出し端末の利用状況を把握するために、本発明の請求項１は、
汎用プラットホーム上に専用アプリケーションをインストールすることで、カラオケ装置のリモコン端末装置として動作する利用者の多機能携帯端末を使用し、カラオケ装置と、当該リモコン端末装置とを接続し、
利用者の多機能携帯端末が利用できないときは、店舗より端末の貸し出しを行ない、定常的にサーバに対し操作ログデータを送信しているカラオケシステムにおいて、
当該専用アプリケーションは、一般の利用者が使用できる「利用者モード」と、前記店舗貸し出し用に一部機能を制限した「店舗モード」を持ち、
利用者が使用した専用アプリケーションが「利用者モード」か「店舗モード」かを識別するモード情報をカラオケ装置に伝え、上記操作ログに当該モード情報を追加する事を特徴とするネットワークカラオケシステムである。
【００１２】
また本発明の請求項２は、前記請求項１記載のネットワークカラオケシステムにおいて、上記多機能携帯端末は選曲予約時に、上記「利用者モード」と「店舗モード」を識別するモード情報をカラオケ装置に送ることを特徴とする請求項１記載のネットワークカラオケシステムである。
【００１３】
また本発明の請求項３は、ひとつのカラオケを共有する単数または複数の利用者による使用をセッションとして管理し、セッション内の各利用者の属性をセッションに対応付けて保持する前記請求項１記載のネットワークカラオケシステムにおいて、当属性のひとつとして、上記「利用者モード」と「店舗モード」を識別するモード情報を持つことを特徴とする請求項１記載のネットワークカラオケシステムである。
【発明の効果】
【００１４】
これにより、カラオケ店やカラオケネットワーク運営会社は、店舗より貸し出されたリモコン端末の稼働状況を把握でき、貸し出しリモコン端末の供給状況を調整するなどカラオケ店運営に役立てることができる。
【図面の簡単な説明】
【００１５】
【図１】本発明の実施例に係る イメージ図。
【図２】本発明の実施例に係る専用サーバのカラオケ歌唱ログ。
【発明を実施するための形態】
【００１６】
本発明のイメージを図１で示す。カラオケ店舗内にはカラオケ装置５とアクセスポイント６があり、これらは、ルータ３よりインターネット２経由で専用サーバ１に接続されている。
【００１７】
通常、利用者は自分のスマートホン（Android端末８またはiOS端末９）に専用アプリケーションを実装し「利用者モード」とすることで、カラオケ装置５のリモコンとして使用できる。
【００１８】
一方、スマートホンを持たない利用者には、店舗端末７が店舗より貸与される。この店舗端末７には利用者の端末（Android端末８またはiOS端末９）と同一の専用アプリケーションが搭載されているが、ダウンロード機能や決済機能など貸し出し端末にはそぐわない一部機能が制限された「店舗モード」となっている。
なお「店舗モード」への設定は一般利用者は設定できない店舗固有のパスワード入力が必要となる。
【００１９】
図２は、本発明における専用サーバ１における歌唱ログの一例である。利用者の歌唱情報は例えばこのような形でログが収集され、
ここで、モード欄には「u」「t」などと記載されており、それぞれ「利用者モード」、「店舗モード」を意味している。
【００２０】
このログを専用サーバが収集することにより、店舗貸し出し用の端末がどの程度利用されているかを知ることができる。
【符号の説明】
【００２１】
１    専用サーバ
２    インターネット
３    ルータ
４    LAN
５    カラオケ装置
６    アクセスポイント
７    店舗端末
８    利用者Android端末
９    利用者iOS端末
【図１】
0006401593.tif 000002
【図２】
0006401593.tif 000003